(57)【特許請求の範囲】
【請求項１】
複数のガイドレールを備えたユニットを上下に連結してエレベータを据え付けるエレベータの据付工法において、
下側ユニットの各ガイドレールの上端部にそれぞれ治具を取り付け、これら治具に上側ユニットのガイドレールを取り付けることにより上下のガイドレールの突き合わせを行う構成であり、
前記治具は、断面凹型の躯体と、この躯体の溝内の溝側面と平行に配置されたプレートと、このプレートと前記躯体の溝側面とでガイドレールを挟む手段を備え、前記躯体と前記プレートとにより形成される溝の一端側は端部に向かって徐々に開いていく形状であることを特徴とするエレベータの据付工法。
【請求項２】
複数のガイドレールを備えたユニットを上下に連結してエレベータを据え付けるエレベータの据付工法において、
上側ユニットの各ガイドレールの下端部にそれぞれ治具を取り付け、これら治具に下側ユニットのガイドレールを取り付けることにより上下のガイドレールの突き合わせを行う構成であり、
前記治具は、断面凹型の躯体と、この躯体の溝内の溝側面と平行に配置されたプレートと、このプレートと前記躯体の溝側面とでガイドレールを挟む手段を備え、前記躯体と前記プレートとにより形成される溝の一端側は端部に向かって徐々に開いていく形状であることを特徴とするエレベータの据付工法。
【発明の詳細な説明】
【０００１】
【発明の属する技術分野】
本発明は工場で予め製作したエレベータユニットを、現場で連結固定してエレベータを据え付けるエレベータの据付工法に関するものである。
【０００２】
【従来の技術】
近年、予め工場においてエレベータユニットにガイドレールや駆動装置等を組み込んだものを製作し、現場でこれらユニットを段積みしてエレベータを短期間に据え付ける工法が行われるようになってきている。
【０００３】
この工法の従来例を図４により説明する。ここでは昇降路ユニットは最上階ユニット１、中間階ユニット１０、最下階ユニット２０の３段としている。
まず工場で各ユニットを製作する。最下階ユニット２０は直方体の筒状をなし、その一側面に出入口部８を設け、かご７用の一対のガイドレール５ａ、カウンターウエイト２１用の一対のガイドレール５ｂをそれぞれ配置している。６はレールブラケット、２２ａ，２２ｂはバッファであり、カウンターウエイト２１はガイドレール５ｂに仮固定してある。また上面周縁部には芯出し用突起１１を設けている。
【０００４】
中間階ユニット１０は、直方体の筒状をなし、最下階ユニット２０と同様に、出入口部８、ガイドレール５ａ，５ｂ、芯出し用突起１１を備えるとともに、下面周縁部には芯出し用溝９を設けている。
【０００５】
最上階ユニット１は、下方が開いた直方体の筒状に形成され、中間階ユニット１０と同様に、出入口部８、ガイドレール５ａ，５ｂ、芯出し用溝９を備え、かご７をガイドレール５ａに仮固定してある。更に、天板１２上には機械室１３が形成され、機械室出入口２、制御盤３、巻上機４を配置している。
【０００６】
エレベータの据付時には、前記各ユニットを、エレベータを据え付ける建物３０の現場まで運び、まず最下階ユニット２０の出入口部８を建物３０の最下階の出入口部８ａに合わせて据え付ける。
次に中間階ユニット１０の出入口部８を、建物３０の２階の出入口部８ａに合わせ、中間階ユニット１０の芯出し用溝９を最下階ユニット２０の芯出し用突起１１に嵌合させることによって、ガイドレール５ａ，５ａ及び５ｂ，５ｂをそれぞれ連結し、最下階ユニット２０と中間階ユニット１０を連結固定する。同様にして最上階ユニット１を中間階ユニット１０に連結固定する。
【０００７】
更に、巻上機４を介してかご７とカウンターウエイト２１をワイヤロープで連結し、かご７とカウンターウエイト２１の各ガイドレール５ａ，５ｂとの仮固定を外して、昇降可能にする。そして、電気配線などを行い、据付作業を完了する。
【０００８】
【発明が解決しようとする課題】
この据付工法においては、上下のユニットを連結固定する際、芯出し用溝９を芯出し用突起１１に嵌合させることによって、上下のガイドレール５ａ，５ａ及び５ｂ，５ｂをそれぞれ連結するとしている。しかし、ガイドレールはその端に凹凸が形成され、端部を突き合わせて凹凸を嵌合させて連結する構造になっている。そのため、予め各ユニットにガイドレールを正確に芯出し固定しておいても、据え付け時に４組のガイドレールの凹凸を同時に嵌合させて芯出しすることは困難である。そこで、一組づつ突き合わせて芯出しをして連結することになるので、作業に時間がかかるという問題があった。
【０００９】
更に、他の従来技術として、予め出入口を組み込んだ昇降路を上部を開放して構築し、その内部にガイドレールやレールブラケット等からなるエレベータ機器ユニットを据え付けていく工法もあるが、上下のガイドレールを突き合わせることに関しては同じ問題があった。
【００１０】
【課題を解決するための手段】
本発明は、上下のユニットを連結固定する際に、上側ユニットの各ガイドレールの下端部、又は下側ユニットの各ガイドレールの上端部に治具を取り付け、これら治具に、対向する側のユニットのガイドレールを取り付けることにより、複数組のガイドレールの突き合わせが自動的に同時に行えるようにしたものである。
また、この治具は、断面凹型の躯体と、この躯体の溝内に配置されたプレートと、このプレートと前記躯体の溝側面とでガイドレールを挟む手段を備え、前記躯体とプレートとのなす溝の一側は端部に向かって徐々に開いていく形状をなし、簡単な操作で容易に両ガイドレールの芯出しが行える構造になっている。
【００１１】
【発明の実施の形態】
本発明の実施の形態を図により説明する。図１は昇降路の横断面図、図２は図１のＡ部側面図、図３は治具の斜視図である。
図において、４０は下側ユニットのガイドレール５ａの走行部であり、かご７のガイドローラやガイドシューが走行する部分である。４１は上側ユニットのガイドレール５ａの走行部である。
【００１２】
５０は上下のガイドレール５ａ，５ａを芯出しして連結する治具で、中央に溝５０ａを有する断面凹形をなしている。５１は断面凹形をなし、一端側の溝の側面と底面が、端へ行くほど徐々に開いていく傾斜面５１ａになっている躯体である。５２は躯体５１に空けられたねじ穴に螺合され、その先がプレート５３を押す構成になっているセットボルト、５４は躯体５１に空けられた孔を貫通してプレート５３に固定したピン、５５は取っ手である。また、プレート５３は傾斜面５１ａに相当する部分が端へ行くほど大きく開いていく傾斜面５３ａになっているため、溝５０ａの一側は端へ行くほど広がった形になっている。
【００１３】
そして、上下のユニットを連結するときには、下側ユニットの各ガイドレール５ａ，５ｂの走行部４０の上端部を、それぞれ治具５０の溝５０ａの下半分で挟み、セットボルト５２でプレート５３を走行部４０に押し付けて固定しておく。それから上側ユニットを下側ユニットに連結する。
そうすると、上側ユニットのガイドレール５ａ，５ｂの走行部４１は、傾斜面５１ａ，５３ａにガイドされて、スムーズに溝５０ａに入り、下側ユニットのガイドレール５ａに突き合わされる。そして、セットボルト５２でプレート５３を走行部４１に押し付けると、上下のガイドレール５ａ，５ａは芯出しされるため、両ガイドレール５ａ，５ａを目板で固定するだけで芯出し固定が完了する。
【００１４】
前記のように、本実施の形態によれば、上下のユニットを連結固定すれば、上下の全ガイドレールが同時に突き合わされるため、ガイドレールの芯出し固定作業が短時間で容易に行うことができる。
【００１５】
前記実施の形態では、治具５０のプレート５３は一枚物であるが、上下に２分割し、それぞれセットボルト５３によって独立に移動できるようにしてもよい。この場合、プレートを保持するために、プレート毎にピン５４と同じ機能のものを設ける必要がある。
また図１では各ガイドレール５ａ，５ｂを昇降路壁に固定した昇降路ユニットを段積みしていく工法を示しているが、予め昇降路を構築しておき、その中にガイドレール等のエレベータ機器ユニットを据え付けていく工法であっても、ガイドレールの突き合わせについては同様に行える。
【００１６】
更に、治具は前記の形状に限定される必要はなく、下側ガイドレールの上端部に固定できて、上側が広く開き、上側ガイドレールの下端部を導いて下側ガイドレールの上端部に突き合わされるような構成であればよい。
また、通常は下側ユニットのガイドレールの上端部に治具の下半分を固定する方が使いやすいが、据付現場の事情などによって、逆に上側ユニットのガイドレールの下端部に治具の下半分を固定して下方に開いた形に取り付けて使用してもよい。
なお本発明は、図４のように機械室１３を備えたエレベータにも適用できるし、油圧エレベータや昇降路内に制御盤や巻上機を収容した機械室無しエレベータでも同様に適用できる。
【００１７】
【発明の効果】
以上説明したように、本発明によれば、上下のガイドレールを複数組同時に突き合わせ、芯出しできるため、上下のユニットの連結作業がより容易になり、エレベータの据付作業を効率化することができる。
【図面の簡単な説明】
【図１】本発明の実施の形態を示す図で、エレベータ昇降路の横断面図である。
【図２】図１のＡ部側面図である。
【図３】治具の斜視図である。
【図４】ユニットを連結して昇降路を構築するエレベータの据付工法を示す図である。
【符号の説明】
１  最上階ユニット
５ａ，５ｂ  ガイドレール
７  かご
８，８ａ  出入口部
９  芯出し用溝
１０  中間階ユニット
１１  芯出し用突起
２０  最下階ユニット
２１  カウンターウエイト
３０  建物
４０，４１  ガイドレールの走行部
５０  治具
５１  躯体
５１ａ，５３ａ  傾斜部
５２  セットボルト
５３  プレート
【図１】
0004042391.tif 000002
【図２】
0004042391.tif 000003
【図３】
0004042391.tif 000004
【図４】
0004042391.tif 000005